(57)【要約】【課題】薄型でありながら光ディスクの脱落が生じ難い光ディスクドライブ装置を実現する。【解決手段】ディスクトレイ１３０の裏側に取り付けられたシャッター１３１の開閉を、ディスクトレイ１３０がスライドする方向と同一の方向にシャッター１３１をスライドさせることによって行なう。ディスクトレイ１３０が引き出されているときには、開口部１３０ａをシャッター１３１により覆うことによって、光ディスクの脱落を防止する。【選択図】図１
2010146637.tif 000002
【特許請求の範囲】
【請求項１】
開口部が形成され、前方に引き出し可能なディスクトレイを備えた光ディスクドライブ装置において、
上記ディスクトレイには、該ディスクトレイを前方に引き出したときに上記開口部を覆うシャッターであって、前方および後方にスライドするシャッターが設けられている、
ことを特徴とする光ディスクドライブ装置。
【請求項２】
上記シャッターの奥行は、上記ディスクトレイの前方の端から上記開口部の前方の縁までの間隔よりも短い、
ことを特徴とする請求項１に記載の光ディスクドライブ装置。
【請求項３】
上記シャッターには、開口部が形成されている、
ことを特徴とする請求項１または２に記載の光ディスクドライブ装置。
【請求項４】
上記ディスクトレイは、設置面に対して垂直に配置されており、
上記シャッターには、該シャッターの中心部から下方に向かって伸びる開口部が形成されている、
ことを特徴とする請求項１または２に記載の光ディスクドライブ装置。
【請求項５】
上記ディスクトレイには、上記シャッターを後方に付勢する付勢部が設けられており、
上記ディスクトレイを筐体内に引き込むときに、上記シャッターを筐体前方に係止する係止部が、該筐体または該シャッターの少なくとも何れかに設けられている、
ことを特徴とする請求項１から４までの何れか１項に記載の光ディスクドライブ装置。
【請求項６】
上記付勢部は、一端が上記ディスクトレイに回動可能に連結され、他端が上記シャッターに連結された連結レバーと、該連結レバーに弾性的なトルクを作用させる弾性体とを含んでいる、
ことを特徴とする請求項５に記載の光ディスクドライブ装置。
【請求項７】
上記係止部は、上記シャッターの前方の端に形成された第１の係合片と、該第１の爪に係合する第２の爪であって、上記筐体の前方の端に形成された第２の係合片と、を含んでいる、
ことを特徴とする請求項５または６に記載の光ディスクドライブ装置。
【請求項８】
上記ディスクトレイは、設置面に対して垂直に配置されており、
上記ディスクトレイには、上方に開いたＵ字状の段差を境界とする平坦領域が形成されている、ことを特徴とする請求項１から７までの何れか１項に記載の光ディスクドライブ装置。
【請求項９】
請求項１から８までの何れか１項に記載の光ディスクドライブ装置を内蔵した光ディスクプレイヤ装置であって、光ディスクに記録された情報を上記光ディスクドライブ装置を用いて再生することを特徴とする、光ディスクプレイヤ装置。
【請求項１０】
請求項１から８までの何れか１項に記載の光ディスクドライブ装置を内蔵した光ディスクレコーダ装置であって、情報を上記光ディスクドライブ装置を用いて光ディスクに記録することを特徴とする、光ディスクレコーダ装置。
【請求項１１】
請求項１から８までの何れか１項に記載の光ディスクドライブ装置を内蔵したパーソナルコンピュータであって、上記光ディスクドライブ装置を用いて光ディスクから読み出した情報を処理することを特徴とする、パーソナルコンピュータ。
【発明の詳細な説明】
【技術分野】
【０００１】
本発明は、光ディスクに情報を記録し、かつ／または、光ディスクに記録された情報を再生する光ディスクドライブ装置、特にトレイローディング式の光ディスクドライブ装置に関する。また、そのような光ディスクドライブ装置を内蔵した光ディスクプレイヤ装置、光ディスクレコーダ装置、及び、パーソナルコンピュータに関する。
【背景技術】
【０００２】
ＣＤ（Compact Disc）、ＤＶＤ（Digital Versatile Disc）、ＢＤ（Blu-ray Disc）などの光ディスクに情報を記録し、かつ／または、これらの光ディスクに記録された情報を再生する光ディスクドライブ装置が広く普及している。このような光ディスクドライブ装置は、通常、光ディスクプレイヤ／レコーダやパーソナルコンピュータなどに内蔵されるため、薄型であることが要求される。特に、省スペース性が肝要となる縦置型の光ディスクプレイヤ／レコーダやディスプレイ一体型のパーソナルコンピュータなどに内蔵される光ディスクドライブ装置は、より一層薄型であることが要求される。
【０００３】
ところで、光ディスクドライブ装置においては、筐体内に光ディスクを取り込むための機構として、ディスクトレイに装着された光ディスクを、このディスクトレイごと筐体内に引き込むトレイローディング機構が広く採用されている。ディスクトレイが筐体内に引き込まれると、筐体内に設けられたトラバースメカが上昇し、トラバースメカに内蔵されたスピンドルモータと筐体天板に取り付けられたクランパーとによって光ディスクが挟持される。
【０００４】
このようなトレイローディング式の光ディスクドライブ装置としては、例えば、特許文献１に記載のものが挙げられる。特許文献１に記載の光ディスクドライブ装置においては、図７に示したように、ディスクトレイ１１に形成された開口部１１を覆うシャッター１１ｂを設け、ディスクトレイ１１が筐体１０から引き出されたときに、筐体１０内に塵埃が侵入することを防止している。
【特許文献１】特開平７−２８２５７５（公開日：１９９５年１０月２７日）
【発明の開示】
【発明が解決しようとする課題】
【０００５】
トレイローディング式の光ディスクドライブ装置を薄型化するためには、ディスクトレイに形成する開口部を大型化することが好ましい。なぜなら、ディスクトレイに形成する開口部を大型化することにより、ディスクトレイを筐体内に引き込んだときに、筐体内のスペースを構成部品を配置するためのスペースとして有効に活用することができるためである。例えば、ディスクトレイに形成する開口部を大型化することによって、ディスクトレイが筐体内に引き込まれたときに、トラバースメカの大部分を開口部内に配置することができる。このため、上面を平坦化してトラバースメカを薄型化し、その結果、光ディスクドライブ装置全体を薄型化することができる。
【０００６】
一方で、ディスクトレイに形成する開口部を大型化すると、ディスクトレイを引き出したときに、塵埃が筐体内に侵入し易くなるという問題の他に、光ディスクをディスクトレイ上に装着するときに、光ディスクが脱落し易くなるという問題を生じる。例えば、開口部の寸法を６０ｍｍ×８０ｍｍとした場合、ＣＤシングルなどの８ｃｍディスクがこの開口部を介して容易に脱落し得ることは明らかであろう。また、光ディスクの一部がこの開口部に嵌まり込んだ状態でディスクトレイを引き込み、光ディスクに損傷を与えるといった問題も生じ易くなる。
【０００７】
このような問題を回避するためには、特許文献１に記載されているように、ディスクトレイに形成された開口部を覆うシャッターを設けることが好ましい。しかしながら、特許文献１に記載された、レバー１２によりシャッター１１ｂを左右（ディスクトレイ１１の可動方向と垂直な方向）にスライドさせる構成では、大型の開口部を覆うシャッターを実現することができない。
【０００８】
実際、開口部１１ａの幅ｄを６０ｍｍとするためには、シャッター１１ｂの幅ｄ’を６０ｍｍ以上とする必要がある。しかし、１３０ｍｍ幅のディスクトレイ１１の中央に６０ｍｍ幅の開口部１１ａを形成すると、端部に残されたマージンは３５ｍｍずつとなり、ディスクトレイ１１を筐体１０内に引き込んだときにシャッター１１ｂをこれらのマージンに退避させることができない。一般的に言えば、特許文献１に記載された機構では、シャッター１１ｂにより覆い隠すことのできる開口部１１ａの幅は、ディスクトレイの幅の高々１／３程度までである。
【０００９】
また、ディスクトレイに設けられた開口部は、ディスクトレイが筐体内に引き込まれたときに、ディスクトレイの裏側にあるスピンドルモータと光ピックアップとをディスクトレイの表側に露出させるという役割の他に、ディスクトレイが筐体から引き出されたときに、ディスクトレイに光ディスクを装着しようとする使用者の指が、ディスクトレイと干渉することを防止するという役割を担っている。しかしながら、特許文献１に記載の光ディスクドライブ装置のように、ディスクトレイ１１に形成された開口部１１ａを覆うシャッター１１ｂを設けると、ディスクトレイ１１に光ディスクを装着しようとする使用者の指がシャッター１１ｂと干渉して使い勝手が悪化するという問題を生じる。
【００１０】
本発明はこれらの問題に鑑みてなされたものであり、その目的は、薄型でありながら光ディスクの脱落が生じ難い光ディスクドライブ装置を実現することにある。
【課題を解決するための手段】
【００１１】
上記課題を解決するために、本発明に係る光ディスクドライブ装置は、開口部が形成され、前方に引き出し可能なディスクトレイを備えた光ディスクドライブ装置でおいて、上記ディスクトレイには、該ディスクトレイを前方に引き出したときに上記開口部を覆うシャッターであって、前方および後方にスライドするシャッターが設けられている、ことを特徴としている。
【００１２】
ディスクトレイは、通常、縦長に形成されており、開口部の左右（ディスクトレイの可動方向に垂直な方向）よりも、開口部の前後（ディスクトレイの可動方向に平行な方向）により大きなマージンが残されている。したがって、開口部を覆うシャッターを前後にスライドさせることによって、ディスクトレイに従来よりも幅広の開口部を形成しても、ディスクトレイが筐体から引き出されているときに開口部を閉ざし、また、ディスクトレイが筐体内に引き込まれているときに開口部を開くシャッターを実現することができる。したがって、光ディスクの脱落が生じづらく、薄型化が可能な光ディスクドライブ装置を実現することができる。
【００１３】
本発明に係る光ディスクドライブ装置において、上記シャッターの奥行は、上記ディスクトレイの前方の端から上記開口部の前方の縁までの間隔よりも短い、ことが好ましい。
【００１４】
上記の構成によれば、ディスクトレイが筐体から引き出されているときに、シャッターをディスクトレイ前方にスライドさせることによって、シャッターをディスクトレイの前方の端から開口部の前方の縁までの間に退避させることができる。したがって、ディスクトレイが筐体内に引き込まれているときに、開口部を完全に開くことができる。このため、筐体内のスペースを構成部品を配置するためのスペースとして更に有効に活用することができる。すなわち、光ディスクドライブ装置を更に薄型化することができる。
【００１５】
本発明に係る光ディスクドライブ装置において、上記シャッターには、開口部が形成されている、ことが好ましい。
【００１６】
上記の構成によれば、光ディスクをディスクトレイに装着したり取出したりする際に、使用者の指がシャッターと干渉することを防止し、より使い勝手のよい光ディスクドライブを実現することができるという更なる効果を奏する。
【００１７】
本発明に係る光ディスクドライブ装置において、上記ディスクトレイは、設置面に対して垂直に配置されており、上記シャッターには、該シャッターの中心部から下方に向かって伸びる開口部が形成されている、ことが好ましい。
【００１８】
上記の構成によれば、シャッターの寸法を必要最小限に留めつつ、直径の大きい光ディスクをディスクトレイに装着したり取出したりする場合であっても、直径の小さい光ディスクをディスクトレイに装着したり取出したりする場合であっても、使用者の指がシャッターと干渉することを防止することができる。
【００１９】
本発明に係る光ディスクドライブ装置において、上記ディスクトレイには、上記シャッターを後方に付勢する付勢部が設けられており、上記ディスクトレイを筐体内に引き込むときに、上記シャッターを上記筐体の前方に係止する係止部が、該筐体または該シャッターの少なくとも何れかに設けられている、ことが好ましい。
【００２０】
上記の構成によれば、シャッターが筐体に係止されるまでの間、付勢部を用いてシャッターを後方にスライドさせることによって、ディスクトレイが筐体から引き出されたときに、開口部を確実に閉ざしておくことができる。また、係止部を用いてシャッターを筐体前方に係止することによって、ディスクトレイが筐体内に引き込まれたときに、シャッターをディスクトレイの前方の端から開口部の前方の縁までの間に退避させ、開口部を完全に開いておくことができる。
【００２１】
本発明に係る光ディスクドライブ装置において、上記付勢部は、一端が上記ディスクトレイに回動可能に連結され、他端が上記シャッターに連結された連結レバーと、該連結レバーに弾性的なトルクを作用させる弾性体とを含んでいる、ことが好ましい。
【００２２】
上記の構成によれば、シャッターを後方に付勢するための機構を、省スペースかつ簡易な構成により実現することができる。
【００２３】
本発明に係る光ディスクドライブ装置において、上記係止部は、上記シャッターの前方の端に形成された第１の係合片と、該第１の係合片に係合する第２の係合片であって、上記筐体の前方の端に形成された第２の係合片と、を含んでいる、ことが好ましい。
【００２４】
上記の構成によれば、シャッターを筐体の前方に係止するための機構を、省スペースかつ簡易な構成により実現することができる。
【００２５】
本発明に係る光ディスクドライブ装置において、上記ディスクトレイは、設置面に対して垂直に配置されており、上記ディスクトレイには、上方に開いたＵ字状の段差を境界とする平坦領域が形成されている、ことが好ましい。
【００２６】
上記の構成によれば、光ディスクをディスクトレイに装着する際に、光ディスクの位置決めが容易になるという更なる効果を奏する。しかも、光ディスクが装着される平坦領域の境界を構成する段差が上方に開いたＵ字状であるため、光ディスクの上方からの装着が容易になるという更なる効果を奏する。
【００２７】
なお、本発明に係る光ディスクドライブ装置を内蔵した光ディスクプレイヤ装置、光ディスクレコーダ装置、及び、パーソナルコンピュータなども本発明の範疇に含まれる。
【発明の効果】
【００２８】
本発明に係る光ディスクドライブ装置は、開口部が形成され、前方に引き出し可能なディスクトレイを備えた光ディスクドライブ装置でおいて、上記ディスクトレイには、該ディスクトレイを前方に引き出したときに上記開口部を覆うシャッターであって、前方および後方にスライドするシャッターが設けられている。したがって、光ディスクの脱落が生じ難く、薄型化が可能な光ディスクドライブ装置を実現することができるという効果を奏する。
【発明を実施するための最良の形態】
【００２９】
本発明の一実施形態について、図面に基づいて説明すれば以下のとおりである。なお、本実施形態に係る光ディスクドライブ装置は、以下に説明するように、ディスクトレイが設置面と垂直な状態（スピンドルモータの回転軸が床と水平な状態）での使用を前提に設計された、縦置型の光ディスクドライブ装置である。ただし、本発明はこれに限定されず、ディスクトレイが設置面と平行な状態（スピンドルモータの回転軸が床と垂直な状態）での使用を前提に設計された、横置型の光ディスクドライブ装置に対しても適用可能である。
【００３０】
（光ディスクドライブ装置の構成）
まず、本実施形態に係る光ディスクドライブ装置１００の構成について、図１を参照して説明する。図１は、光ディスクドライブ装置１００を表側から見た平面図である。図１に示したように、光ディスクドライブ装置１００は、概略的に言えば、筐体１１０と、昇降可能なトラバースメカ１２０と、前方に引き出し可能なディスクトレイ１３０とを備えた、トレイローディング式の光ディスクドライブ装置である。
【００３１】
トラバースメカ１２０は、光ディスクを回転させるためのスピンドルモータ１２１と、光ディスクにレーザーを照射するための光ピックアップ１２２とを、サブシャーシ（トラバースシャーシ）に格納して一体化したものである。ディスクトレイ１３０は、光ディスクを装着するためのトレイである。このディスクトレイ１３０の表側（光ディスクと対向する側）には、ディスクトレイ１３０に光ディスクを装着する際に光ディスクが倒れてディスクトレイ１３０から脱落することを防止するために、ディスクポケット１３５が設けられている。
【００３２】
光ディスクドライブ装置１００において光ディスクをローディングする方法は、従来のトレイローディング式の光ディスクドライブ装置と同様である。すなわち、トラバースメカ１２０を降下させて、光ディスクをディスクトレイ１３０ごと筐体１１０内に引き込み、トラバースメカ１２０を上昇させて、スピンドルモータ１２１と筐体１１０天板に取り付けられたクランパーとにより光ディスクをホールドする。
【００３３】
（ディスクトレイ周辺の構成）
次に、ディスクトレイ１３０周辺の構成について、図２を参照してもう少し詳しく説明する。図２は、光ディスクドライブ装置１００を裏側から見た平面図である。図２（ａ）は、ディスクトレイ１３０が筐体１１０から引き出された状態を示し、図２（ｂ）は、ディスクトレイ１３０が筐体１１０に引き込まれた状態を示す。
【００３４】
図２（ａ）に示したように、ディスクトレイ１３０には、幅約６０ｍｍ、奥行約９０ｍｍの開口部１３０ａが形成されている（以下、ディスクトレイが引き出される方向と垂直な方向、すなわち、左右方向の長さを幅、ディスクトレイが引き出される方向、すなわち、前後方向の長さを奥行と呼称する）。この開口部１３０ａの寸法は、従来の光ディスクドライブ装置におけるそれよりも大きくとられており、ディスクドライブ１００の薄型化に有利な構成になっている。
【００３５】
このディスクトレイ１３０の裏側（光ディスクと対向する側の反対側）には、幅約７０ｍｍ、奥行約４０ｍｍのシャッター１３１が、スライド可能に取り付けられている。図２（ａ）と図２（ｂ）とを対照すれば明らかなように、このシャッター１３１がスライドする方向は、ディスクトレイ１３０の可動方向、すなわち、前方（ディスクトレイ１３０が引き出される方向）および後方（ディスクトレイ１３０が引き込まれる方向）である。
【００３６】
ディスク排出時、すなわち、ディスクトレイ１３０が筐体１１０から引き出された状態にあるときには、図２（ａ）に示したように、後方にシャッター１３１をスライドさせることによって、開口部１３０ａの前方をシャッター１３１で覆う。一方、ディスク挿入時、すなわち、ディスクトレイ１３０が筐体１１０に引き込まれた状態にあるときには、図２（ｂ）に示したように、前方にシャッター１３１をスライドさせることによって、ディスクトレイ１３０前方裏側にシャッター１３１を退避させて開口部１３０ａを開放する。
【００３７】
なお、１２ｃｍディスクの半径が６０ｍｍなので、スピンドルモータ１２１の直径を考慮しても、ディスクトレイ１３０の前方の端から開口部１３０ａの前方の縁までの間隔を５０ｍｍ程度は確保することができる。したがって、奥行が５０ｍｍ以下のシャッターであれば、ディスクトレイ１３０が筐体１１０に引き込まれた状態にあるとき、ディスクトレイ１３０前方に退避させて、シャッター１３１を完全に開放することができる。
【００３８】
ディスクトレイ１３０の引き込み／引き出しの際に生じるシャッター１３１のスライドは、図２（ｂ）に示すように、ディスクトレイ１３０の裏側に取り付けられたシャッターガイド１３２、シャッター連結レバー１３３、および、シャッタースプリング１３４により実現される。
【００３９】
シャッターガイド１３２は、シャッター１３１をスライド可能に支持するための機構であり、具体的には、ディスクトレイ１３０の可動方向と平行に、かつ、シャッター１３１の幅と略同一の間隔を隔てて敷設された２本のレールにより構成されている。シャッター１３１の可動範囲は、このシャッターガイド１３２により規制されている。具体的には、可能な配置のうち、最も後方側の配置（以下、最後方配置）は、シャッター１３１がディスクトレイ１３０のディスク装着領域１３０ｂ（後述）と重なる配置であり、最も前方側の配置（以下、最前方配置）は、シャッター１３１の前方の端が、ディスクトレイ１３０前方の端に重なる配置である。
【００４０】
シャッター連結レバー１３３は、後方にシャッター１３１を付勢するための機構であり、具体的には、ディスクトレイ１３０前方裏側に設けられた回転軸１３３ａと連結したヘラ状部材により構成されている。このシャッター連結レバー１３３の先端には弧状開口部１３３ｂが形成されている。この弧状開口部１３３ｂに、シャッター１３１前方裏側に設けられた係合ピン１３１ｃを挿入することにより、シャッター連結レバー１３３とシャッター１３１とを連結する。シャッタースプリング１３４は、シャッター連結レバー１３２に弾性的なトルクを作用させるための弾性体であり、具体的には、ねじりばねである。シャッター連結レバー１３３は、このシャッタースプリング１３４により得られる弾性的なトルクを、シャッター１３１に作用する後方への力に変換する機構であるともいえる。
【００４１】
ディスクトレイ１３０が筐体１１０に引き込まれる過程は、シャッター１３１が筐体１１０に係止される前の過程と、シャッター１３１が筐体１１０に係止された後の過程とに分けられる。筐体１１０に係止されるまで、シャッター１３１は、ディスクトレイ１３０に追従して後方へと移動する。この間、シャッター１３１の配置は、後方への付勢力により最後方配置に保たれる。一方、シャッター１３１が筐体１１０に係止された後は、ディスクトレイ１３０だけが後方へと移動する。すなわち、ディスクトレイ１３０上の座標系からみれば、シャッター１３１は（筐体１１０に追従して）前方へとスライドする。
【００４２】
ディスクトレイ１３０が筐体１１０に引き込まれるときにシャッター１３１を筐体１１０に係止するための構成として、本実施形態においては、シャッター１３１の前方の端、及び、ベース１１１の前方の端に、爪状の係合片１３１ｂ、及び、１１１ａを設けている。シャッター１３１側の係合片１３１ｂと筐体１１０側の係合片１１１ａとを引っ掛けることによって、シャッター１３１が筐体１１０により係止される。
【００４３】
（ディスクトレイの形状）
次に、ディスクトレイ１３０の形状について、図３を参照して説明する。図３（ａ）は、ディスクトレイ１３０を表側からみた平面図であり、図３（ｂ）は、ディスクトレイ１３０を裏側からみた平面図である。
【００４４】
ディスクトレイ１３０には、図３に示したように、上方が開いたＵ字状の段差を境界とするディスク装着領域１３０ｂが形成されている。ディスク装着領域１３０ｂは、他より一段裏側に突出した平坦領域である。このようなディスク装着領域１３０ｂを設けることにより、光ディスクをディスクトレイ１３０に装着する際の位置決めが容易になることは明らかであろう。また、ディスク装着領域１３０ｂの境界を構成する段差を上方が開いたＵ字状とすることにより、光ディスクの上方からの装着が容易になることもまた明らかであろう。
【００４５】
図３に示したような形状のディスク装着領域１３０ｂをディスクトレイ１３０に形成した場合、ディスクトレイ１３０の前方下側に部品を配置するための空間が生まれる。そこで、ディスクトレイ１３０においては、上述したシャッター連結レバー１３３の回転軸１３３ａとシャッタースプリング１３４とをこの空間に配置し、光ディスクドライブ装置１００の厚みの増加を回避している。
【００４６】
（シャッターの形状）
最後に、シャッター１３１の形状について、図４〜６を参照して説明する。図４（ａ）は、シャッター１３１を表側からみた平面図であり、図４（ｂ）は、シャッター１３１を裏側からみた平面図である。シャッター１３１の裏側に設けられた係合片１３１ｂおよび係合ピン１３１ｃについては既に説明したので、ここではその説明を繰り返さない。
【００４７】
シャッター１３１には、図４に示したように、ディスク装着領域１３０ｂの中心部から下方に向かって伸びる開口部１３１ａが形成されている。シャッター１３１にこのような開口部１３１ａを設けたのは、光ディスクをディスクトレイ１３０に装着したり取出したりする際に、使用者の指がシャッター１３１と干渉することを防止するためである。また、開口部１３１ａの形状として、ディスク装着領域１３０ｂの中心部から下方に向かって伸びる形状を採用しているのは、８ｃｍディスクをディスクトレイ１３０に装着したり取出したりする際にも、使用者の指がシャッター１３１と干渉することを防止するためである。
【００４８】
図５は、１２ｃｍディスクがディスクトレイ１３０に装着されている状態の光ディスクドライブ装置１００を表側からみた平面図である。図５に示したように、ディスクトレイ１３０を引き出した状態、すなわち、シャッター１３１を閉じた状態で、ディスクトレイ１３０に装着された１２ｃｍディスクの中心孔と、シャッター１３１に形成された開口部１３１ａの上部とがちょうど重なり合う。このため、使用者が中心孔に指を入れて１２ｃｍディスクをディスクトレイ１３０に装着したり取出したりする場合であっても、使用者の指がシャッター１３１と干渉することを回避できる。
【００４９】
図６は、８ｃｍディスクがディスクトレイ１３０に装着されている状態の光ディスクドライブ装置１００を表側からみた平面図である。図６に示したように、ディスクトレイ１３０を引き出した状態、すなわち、シャッター１３１を閉じた状態で、ディスクトレイ１３０に装着された８ｃｍディスクの中心孔と、シャッター１３１に形成された開口部１３１ａの下部とがちょうど重なり合う。このため、使用者が中心孔に指を入れて１２ｃｍディスクをディスクトレイ１３０に装着したり取出したりする場合であっても、使用者の指がシャッター１３１と干渉することを回避できる。
【００５０】
（付記事項）
本明細書においては、（１）光ディスクに情報を記録するともの（光ディスクに記録された情報を再生するか否かを問わない）と、（２）光ディスクに記録された情報を再生するもの（光ディスクに情報を記録するか否かを問わない）と、（３）光ディスクに情報を記録し、かつ、光ディスクに記録された情報を再生するものとを総称するために、「光ディスクに情報を記録し、かつ／または、光ディスクに記録された情報を再生する」という表現を用いた。
【００５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００５２】
本発明は、例えば、以下のように表現することもできる。
【００５３】
すなわち、トレイ上にディスクを挿入するポケットと、前記トレイに支持されトレイ上をトレイ動作方向にスライド動作するシャッターと、シャッターを元の位置に復帰させる為一定方向に付勢される駆動アーム及びＳＰＲとをトレイ上に設置し、ベースの装置前方付近に作用ピンを設け、トレイが引き込まれた時にシャッターと当接してシャッターをトレイ開口部から装置前方に退避させる。この機構により縦型に配置されたトレイメカにおいて小径ディスクがトレイから脱落したり、トレイ開口部にディスクを挟んでディスクを損傷させる事を防ぎ、ディスク装着時のユーザーの操作性を向上させる。またシャッターに長穴を設け、ディスクの取り出し操作性を向上させる。
【産業上の利用可能性】
【００５４】
本発明は、トレイローディング式の光ディスクドライブ装置に利用することができ、特に、縦置型の光ディスクドライブ装置にとりわけ好適に利用することができる。
【図面の簡単な説明】
【００５５】
【図１】本発明の実施形態を示すものであり、表側からみた光ディスクドライブ装置の平面図である。
【図２】本発明の実施形態を示すものであり、光ディスクドライブ装置を裏側から見た平面図である。特に、図２（ａ）は、ディスクトレイが筐体１１０から引き出された状態を示し、図２（ｂ）は、ディスクトレイが筐体に引き込まれた状態を示す。
【図３】本発明の実施形態を示すものであり、図３（ａ）は、ディスクトレイを表側からみた平面図であり、図３（ｂ）は、ディスクトレイを裏側からみた平面図である。
【図４】本発明の実施形態を示すものであり、図４（ａ）は、シャッターを表側からみた平面図であり、図４（ｂ）は、シャッターを裏側からみた平面図である。
【図５】本発明の実施形態を示すものであり、光ディスク（１２ｃｍディスク）が装着された光ディスクドライブ装置を表側からみた平面図である。
【図６】本発明の実施形態を示すものであり、光ディスク（８ｃｍディスク）が装着された光ディスクドライブ装置を表側からみた平面図である。
【図７】従来技術を示すものであり、光ディスクドライブ装置の要部構成を示す平面図である。
【符号の説明】
【００５６】
１００            光ディスクドライブ装置
１１０                筐体
１１１                    ベース
１１１ａ                      係合片（係止部）
１２０                トラバースメカ
１２１                    スピンドルモータ
１２２                    光ピックアップ
１３０                ディスクトレイ
１３０ａ                  開口部
１３０ｂ                  ディスク装着領域
１３１                    シャッター
１３１ａ                      開口部
１３１ｂ                      係合片（係止部）
１３１ｃ                      係合ピン
１３２                        シャッターガイド
１３３                        シャッター連結レバー（付勢部）
１３３ａ                          回転軸
１３３ｂ                          弧状開口部
１３４                        シャッタースプリング（付勢部）
１３５                ディスクポケット
【図１】
2010146637.tif 000003
【図２】
2010146637.tif 000004
【図３】
2010146637.tif 000005
【図４】
2010146637.tif 000006
【図５】
2010146637.tif 000007
【図６】
2010146637.tif 000008
【図７】
2010146637.tif 000009